(57)【要約】【課題】機会原油を使用して安価な燃料を生産し、メーカの原価節減に大きく寄与できるようにした機会原油の精製装置及び方法を提供する。【解決手段】機会原油の精製装置は、機会原油を貯蔵する機会原油貯蔵タンクと、該機会原油貯蔵タンクに貯蔵された機会原油を受け取ってその低沸点成分を真空で除去すると共に、引火点７０℃以上の重油であるバンカーＣ油を生産する真空蒸留塔と、該真空蒸留塔から生産されたバンカーＣ油を貯蔵する貯蔵部と、を含む構成である。【選択図】図２
2010215882.tif 000002
【特許請求の範囲】
【請求項１】
機会原油を貯蔵する機会原油貯蔵タンクと、
該機会原油貯蔵タンクに貯蔵された機会原油を受け取ってその低沸点成分を真空で除去すると共に、引火点７０℃以上の重油であるバンカーＣ油を生産する真空蒸留塔と、
該真空蒸留塔から生産されたバンカーＣ油を貯蔵する貯蔵部と、
を含んでなることを特徴とする機会原油の精製装置。
【請求項２】
前記低沸点成分が、前記真空蒸留塔の上部から排出され、前記引火点７０℃以上のバンカーＣ油は、前記真空蒸留塔の下部から排出されることを特徴とする、請求項１に記載の機会原油の精製装置。
【請求項３】
前記機会原油貯蔵タンクから前記真空蒸留塔に提供される前記機会原油を、一定温度で加熱するリボイラーをさらに含んでなることを特徴とする、請求項１又は請求項２に記載の機会原油の精製装置。
【請求項４】
前記真空蒸留塔から排出された前記低沸点成分を急冷させて、低沸点凝縮油を生産する急冷器をさらに含んでなることを特徴とする、請求項１から請求項３のいずれか１項に記載の機会原油の精製装置。
【請求項５】
前記急冷器で生産された前記低沸点凝縮油を排出させる真空ポンプをさらに含んでなることを特徴とする、請求項４に記載の機会原油の精製装置。
【請求項６】
前記貯蔵部に流動点改善油を混合して低粘度バンカーＣ油を生産することを特徴とする、請求項１から請求項５のいずれか１項に記載の機会原油の精製装置。
【請求項７】
前記貯蔵部が、前記バンカーＣ油を６０〜７０℃に貯蔵することを特徴とする、請求項１から請求項６のいずれか１項に記載の機会原油の精製装置。
【請求項８】
前記真空蒸留塔が、前記機会原油を１１０〜１５０℃の温度で真空処理することを特徴とする、請求項１から請求項７のいずれか１項に記載の機会原油の精製装置。
【請求項９】
前記真空蒸留塔が、回分式または連続式運転を通じてバンカーＣ油を生産することを特徴とする、請求項１から請求項８のいずれか１項に記載の機会原油の精製装置。
【請求項１０】
前記機会原油貯蔵タンクから前記真空蒸留塔への機会原油の配管に、スチームジャケットまたはスチームトレーシングを設置し、前記機会原油が配管内で硬くなるのを防止することを特徴とする、請求項１から請求項９のいずれか１項に記載の機会原油の精製装置。
【請求項１１】
前記機会原油貯蔵タンクと前記真空蒸留塔との間に、製品と原料とを熱交換させて熱を回収する熱交換器をさらに含んでなることを特徴とする、請求項１から請求項１０のいずれか１項に記載の機会原油の精製装置。
【請求項１２】
貯蔵タンクに貯蔵された機会原油を受け取ってその低沸点成分を真空状態で除去すると共に、引火点７０℃以上のバンカーＣ油を生産する工程と、
前記低沸点成分を受け取って急冷処理して低沸点凝縮油を生産する工程と、
前記引火点７０℃以上のバンカーＣ油を貯蔵する工程と、
前記貯蔵された引火点７０℃以上のバンカーＣ油に流動点改善油を混合して、低粘度バンカーＣ油を生産する工程と、
を含んでなることを特徴とする機会原油の精製方法。
【請求項１３】
前記機会原油が、一定の温度に加熱された状態で提供することを特徴とする、請求項１２に記載の機会原油の精製方法。
【請求項１４】
前記急冷処理が、ドライアイスを使って低沸点成分を凝縮することを特徴とする、請求項１２又は請求項１３に記載の機会原油の精製方法。
【請求項１５】
前記バンカーＣ油に流動点改善油を１０〜１２％混合することを特徴とする、請求項１２から請求項１４のいずれか１項に記載の機会原油の精製方法。
【発明の詳細な説明】
【技術分野】
【０００１】
本発明は、原油の精製装置及び方法に関し、特に、精製過程で装置の腐食を防止するとともに、安価の代替重油原料を生産するようにした機会原油の精製装置及び方法に関する。
【背景技術】
【０００２】
一般に、原油のうち、一般原油と構成成分及び性状が異なり、少量採掘で生産される原油を機会原油（opportunity crude）と称するが、産地別に名称が区分されることもある。例えば、アフリカスーダン産の機会原油をDar Blendと呼び、チャド産の機会原油をDoba Blendと呼ぶが、Dar BlendとDoba Blendとはほぼ同様な性質を持っている。
【０００３】
上記のような機会原油から精製過程によって生産されるバンカーＣ油が、規格として限定する引火点である７０℃以上を満たすためには、機会原油中に約３〜４％含まれた低沸点成分を除去しなければならない。
【０００４】
この機会原油に含まれた約３〜４％の低沸点成分を除去するために一般の製油所等が常圧条件で精製すると、装置に深刻な腐食を引き起こす物質が含まれることがある。
【０００５】
具体的には、高温で分解されて装置を大きく腐食させる塩酸を生成する塩（例えば、塩化カルシウム、塩化マグネシウム等）が多く含まれており、さらに、蒸留塔のリボイラーを腐食させる酸分（例えば、ナフテン酸（Naphthenic Acids）成分：その含量をＴＡＮ（Total Acid Number）で表示する。）も多く含まれており、装置に腐食を引き起す。
【０００６】
そして、酸分が特に、多いことから原油の粘度が非常に高い。常温で機会原油は固体として存在するが、その理由は一般原油に比べてＴＡＮ値が非常に高いためである。
【０００７】
一方、機会原油には硫黄成分が０．１％以下であるため、一般の製油所の精油工程で発生する硫黄成分による腐食は大きな問題にはならない。
【０００８】
一般の製油会社の原油は、機会原油を一般原油に少量添加して脱塩器（一般的に電気式脱塩器を使用し、全世界でＮＡＴＣＯ社の脱塩器を多く使用する）容量に合わせて原油を使用しており、このようにして脱塩工程を経た原油は３６０〜３８０℃まで加熱炉で加熱された後に常圧蒸留塔に供給されて、ナフサ、ガソリン、灯油、軽油等を生産し、次の工程からは真空で運転して残留軽油を回収し、高沸点物質を生産する。
【０００９】
上記脱塩工程を経た原油中の塩の含量は、過去には１．５ＰＴＢ（part per Thousand Barrel）以下で管理していたが、最近では脱塩技術の発達と、腐食の最小化による装置腐食防止を通じて工場整備期間を最小化にすることで生産性を向上させる目的から、脱塩器出口において塩の含量を０．１５ＰＴＢに下げて管理している。
【００１０】
一方、塩化マグネシウムは、分解温度が約２００℃と低く、分解時に塩化水素ガスを発生する。上記の脱塩器運転においてもｐＨ調節のための薬品と乳化剤等、添加剤を注入せねばならず、精油工程には、酸分によるリボイラーの腐食防止のためにリン酸エステル等、様々な腐食防止剤を使用しなければならない。
ところが、機会原油を用いてバンカーＣ油に取って代わる燃料を直接生産しようとする時は、塩成分が高い上にＴＡＮ値も大きいため、粘度が普通１７０ｃＰ（６０℃条件）であって脱塩器運転条件である粘度５ｃＰ（６０℃条件）を満たすことはできず、機会原油には脱塩器の適用が不可能という問題があった。
【００１１】
さらに、上記脱塩器は、運転コストと設置コストも多くかかるという副次的な問題も抱えている。そこで、腐食を防止できる運転条件を研究して見出し、その代替工程を開発することによって、機会原油を用いて燃料として多く使用されるバンカーＣ油を生産する技術への開発が望まれてきた。引火点を満たすとしても、少量を使用する一部の消費者たちにとっては保管及び移送等において問題が発生する可能性があり、したがって、特に、この消費者たちが要求する低粘度燃料も部分的に供給するためには別の粘度改善剤を用いて供給しなければならない。
【００１２】
図１は、一般的な原油精製装置で機会原油を精製する方法を説明するための概略構成図である。
【００１３】
一般的な原油の精製装置は、図１に示すように、原油貯蔵タンク１０、脱塩器（Desalter）２０、加熱炉３０、常圧蒸溜塔４０及び真空蒸留塔５０を含んで構成される。
【００１４】
ここで、原油貯蔵タンク１０は原油を貯蔵している。この原油には、塩、鉄酸化物、砂等、各種固体が溶けている。
【００１５】
原油貯蔵タンク１０に貯蔵された原油が供給される脱塩器２０は、該原油中の塩分を除去する装置であり、１７０℃〜２６０℃に予熱される。この時、少量の機会原油を脱塩器２０に供給すると共にｐＨ調節のための薬品と乳化剤等の添加剤を注入し、酸分による装置の腐食防止のために、リン酸エステル等の様々な腐食防止剤を供給する。
【００１６】
加熱炉３０は、脱塩工程を経た混合物である原油と機会原油を常圧蒸留するために必要な温度、すなわち、３６０〜３８０℃に加熱する装置である。この時、原油の蒸留または製品の種類によって異なるが、約３４０℃まで加熱する。
【００１７】
常圧蒸留塔４０は、原油を沸点の差によって、ＬＰＧ、ナフサ、灯油、軽油、バンカー油の油分に分離する装置で、原油構成成分が一定の圧力と温度で蒸発しようとする特性がそれぞれ異なることを利用して分離する。すなわち、内部の温度と圧力を高さによって異ならせることで、混合されている油分を分離するもので、ほぼ大気圧に等しい常圧で運転されることから常圧蒸留塔と呼ばれる。
【００１８】
常圧蒸留塔４０は、内部が約３０〜４０個の段から構成され、上段から凝縮して流下する液相成分と、下段から気化して上昇する気相成分との接触を通じて原流を分離している。
【００１９】
一方、常圧蒸留塔４０は、さらに、少量添加して使用する上記機会原油に含まれている約３〜４％の低沸点成分を除去する役割も果たす。
【００２０】
真空蒸留塔５０は、真空で運転し、常圧蒸留塔４０で分離された原油中に残留する軽油を回収することによって、高沸点のオイルを生産する役割を果たす。
【００２１】
このように、上記した構成の一般的な原油精製装置では、機会原油を一般原油に少量添加し、脱塩器２０の容量に応じて原油を使用しており、また、このようにして脱塩工程を経た原油は、加熱炉３０を経由して常圧蒸留塔３０に供給され、ナフサ、ガソリン、軽油、灯油等を生産し、続いて、真空蒸留塔５０での真空運転によって高沸点物質を生産する。この真空運転工程で、燃料として多く使われるバンカーＣ油を生産している。
【発明の概要】
【発明が解決しようとする課題】
【００２２】
しかしながら、上記のような機会原油のみを精油する分野についての技術は特に開発されていない現状である。
【００２３】
すなわち、機会原油を用いてバンカーＣ油に取って代わる燃料を直接生産しようとする時は、前述したように、塩成分が多く且つＴＡＮ値が大きいから、脱塩器の適用が不可能という問題がある。さらに、脱塩器は、運転コストと設置コストが多くかかるという副次的な問題もある。
【００２４】
本発明は、上記の従来の問題を解決するために見出されたものであり、その目的は、機会原油を精製する際に装置腐食に影響を与えない運転条件を見出し、脱塩器を使用せずに装置腐食も防止する真空運転条件で精油を行なってバンカーＣ油を生産するようにすることによって、安価の燃料を生産し、メーカの原価節減に大きく寄与できるようにした機会原油の精製装置及び方法を提供することである。
【課題を解決するための手段】
【００２５】
上記目的を達成するための本発明に係る機会原油の精製装置は、機会原油を貯蔵する機会原油貯蔵タンクと、該機会原油貯蔵タンクに貯蔵された機会原油を受け取り、その低沸点成分を真空で除去すると共に、引火点７０℃以上の重油であるバンカーＣ油を生産する真空蒸留塔と、該真空蒸留塔で生産されたバンカーＣ油を貯蔵する貯蔵部と、を含んでなることを特徴とする。
【００２６】
また、上記目的を達成するための本発明に係る機会原油の精製方法は、貯蔵タンクに貯蔵された機会原油が提供され、その低沸点成分を真空状態で除去すると共に引火点７０℃以上のバンカーＣ油を生産する段階と、低沸点成分を受け取って急冷処理し、低沸点凝縮油を生産する段階と、引火点７０℃以上のバンカーＣ油を貯蔵する段階と、貯蔵された引火点７０℃以上のバンカーＣ油に流動点改善油を混合して、低粘度バンカーＣ油を生産する段階と、を含んでなることを特徴とする。
【発明の効果】
【００２７】
本発明による機会原油の精製装置及び方法は、下記のような効果がある。
【００２８】
第一に、機会原油を脱塩器及びＴＡＮによる腐食防止のための添加剤等を使用せずに蒸留塔を運転することによって、装置腐食を防止しながら精油し、引火点７０℃以上の重油（バンカーＣ）代用燃料を生産でき、経済的な精油工程を実現できる。
【００２９】
第二に、真空運転精油法で引火点を満たすために低沸点成分３〜４％を真空で除去すが、このとき、真空ポンプの前段に急冷器（chiller）を設置して液化させることによって、真空ポンプ容量の最小化、工程の安定化、及び有効成分の最大回収という効果を得ることができる。
【００３０】
第三に、精油工程で蒸留塔の下部から製品を生産（９６〜９７％）するようになるが、エネルギー節減と、熱による分解の最小化という面で製品と原油とを熱交換し、この熱交換によって生産製品の温度を６０〜７０℃とすることによって、製品タンクでの取り扱いと、船舶またはタンクローリーへの積み込みとを容易にさせ、エネルギー節減と熱源供給設備の最小化が図られ、投資費を節減できる。
【００３１】
第四に、常温でも取り扱い易い製品に対する一部消費者の要求に応じて、製品固有の引火点を満たしながら使用できる高沸点で且つ粘度の低い混合油を混合して流動点を改善し、その結果市場の多角化を通じた売上げの増加を図り、経済性を確保することができる。
【図面の簡単な説明】
【００３２】
【図１】図１は、一般的な原油精製装置で機会原油を精製する方法を説明するための概略構成図である。
【図２】図２は、本発明による機会原油の精製装置を示す概略構成図である。
【図３】図３は、ＴＡＮによる腐食テストの結果を示すグラフである。
【図４】図４は、ＴＡＮによる腐食テストの結果を示すグラフである。
【図５】図５は、本発明による機会原油の精製方法を示すフローチャートである。
【発明を実施するための形態】
【００３３】
以下、添付の図面を参照しつつ、本発明による機会原油の精製装置及び方法についてより、詳細に、かつ、具体的に説明する。
【００３４】
図２は、本発明による機会原油の精製装置を示す概略構成図である。
【００３５】
同図の機会原油の精製装置は、機会原油貯蔵タンク１１０、熱交換器１２０、真空蒸留塔１３０、リボイラー１４０、急冷器１５０及び貯蔵部１６０を含んで構成される。
【００３６】
機会原油貯蔵タンク１１０は機会原油を貯蔵するためのもので、この機会原油中には、バンカーＣの引火点規格値である引火点７０℃以上を満たすために除去しなければならない成分、例えば、低沸点のブタン、ペンタン、シクロペンタン、メチルペンタン、ジメチルブタン、ジメチルペンタン、ノーマルヘキサン等であって、沸点７０℃以下の成分が約３〜４％含まれている。
【００３７】
すなわち、この機会原油には、代表的には、高温で分解されて装置を大きく腐食させる塩酸を生成する塩（塩化カルシウム、塩化マグネシウム等）が含まれており、蒸留塔のリボイラーを腐食させる酸分（ナフテン酸成分、ＴＡＮ）も多く含まれている。
【００３８】
この機会原油は３８℃程度の流動点を有するもので、機会原油貯蔵タンク１１０に５０℃程度で保管されており、その時の粘度は２５０ｃＰ程度である。
【００３９】
一方、流動点以上では粘度がバンカーＣ油よりも低いが、酸分含量のために常温ではチョコレートのように硬い固体形態となる。したがって、機会原油貯蔵タンク１１０から真空蒸留塔１３０への原油配管は、万一の場合に配管内で機会原油が硬くならないように、スチームジャケットまたはスチームトレーシングを設置したリボイラー１４０を含む。
【００４０】
すなわち、機会原油貯蔵タンク１１０と真空蒸留塔１３０間には、製品と原料とを熱交換させて熱を回収する熱交換器１２０と、精油塔に熱源を供給するリボイラー１４０とが構成されている。
【００４１】
下の表１は、機会原油に含まれた成分の真沸点（True Boiling Point）と収率（体積％）との関係を、表２は、機会原油の代表物性値を、それぞれ表している。
【００４２】
【表１】
2010215882.tif 000003
表1
【００４３】
機会原油の特性上、分布は異なるが、一般原油とは違い、ガソリンと軽油に該当する部分が非常に少ない。一方、表１の真沸点実験は、１５段ガラス蒸留器を使用し、還流比は５：１として実験した結果である。
【００４４】
【表２】
2010215882.tif 000004
表２
【００４５】
真空蒸留塔１３０は、リボイラー１４０を通じて一定の温度に加熱されながら供給される機会原油を受け取り、約３〜４％の低沸点成分を除去しながら引火点７０℃以上のバンカーＣ油を生産する。
【００４６】
すなわち、真空蒸留塔１３０は、機会原油に対して脱塩器を使用せずに真空圧力の条件下で蒸留塔を運転して装置腐食を防止しながら精油し、引火点７０℃以上のバンカーＣ油を生産する。
【００４７】
ここで、真空蒸留塔１３０は、上部から沸点成分を排出し、下部から９６〜９７％である製品を生産するようになるが、このとき、エネルギー節減と熱による分解を最小化する目的から、熱交換器１２０を通じて製品と原油を熱交換して使用する最適の工程条件で進行する。この場合、熱交換器１２０の熱交換後に生産される製品の温度を６０〜７０℃とし、貯蔵部１６０での取扱いと船舶またはタンクローリーへの積み込みを容易にする。
【００４８】
表３は、真空圧力条件下の蒸留塔の上部除去量（Overhead cut、O/H cut）関連試験（腐食防止のために１５０℃以下で運転）を示すもので、このとき、引火点を満たすためにテスト実施した。理論段数１５段のガラスで製作された蒸留塔を使用し、無還流条件で回分式実験した結果を示している。すなわち、表３は、１５０℃条件でO/H cut比率と引火点との関係を示すものである。
【００４９】
【表３】
2010215882.tif 000005
（表３）
【００５０】
表４は、真空圧力条件による蒸留塔の上部除去量（Overhead cut、O/H cut）関連試験（腐食防止のために１３０℃以下で運転）を示すもので、このとき、引火点を満たすためにテスト実施した。理論段数１５段のガラスで製作された蒸留塔を使用し、無還流条件で回分式実験した結果を示している。すなわち、表４は、１３０℃条件でO/H cut比率と引火点との関係を示すものである。
【００５１】
【表４】
2010215882.tif 000006
表４
【００５２】
急冷器１５０は、真空蒸留塔１３０から分離された低沸点成分を凝縮し、真空ポンプ（図示せず）を設けて液化することで、真空ポンプ容量を最小化し、工程を安定して進行する。
【００５３】
すなわち、真空蒸留塔１３０を用いて７０℃以上の引火点を満たすために低沸点成分３〜４％を除去する工程を真空で運転するには大型の真空ポンプが必要であるが、この問題を解決するために、真空ポンプの前段に急冷器１５０を設置して液化することによって、真空ポンプ容量を最小化し、工程を安定的に進行することができる。
【００５４】
表５は、理論段数１０のPilot蒸留塔で真空条件下に運転したもので、表３及び表４は回分式運転、表５は連続式運転したものである。凝縮器は、ドライアイスを使用する急冷器であり、低沸点成分を凝縮し、無還流運転で実施する。
【００５５】
【表５】
2010215882.tif 000007
（表５）
【００５６】
表５は、工程が安定化した後に３時間間隔で８個のサンプルを採取してテストした。Ｏ／Ｈ低沸点物質（Ｃ５以下、Ｃ５〜７５℃）は、ドライアイスを使用して−５℃条件下で凝縮収集をした。
【００５７】
急冷器１５０は、ドライアイスを使用して真空蒸留塔１３０から分離された低沸点成分を凝縮し、低沸点凝縮油を排出する。
【００５８】
貯蔵部１６０は、真空蒸留塔１３０から蒸留されたバンカーＣ油を受け取って貯蔵し、ここに外部からの流動点改善油を混合し、低粘度バンカーＣ代替油を生産する。
ここで、流動点改善油を混合する理由は、一部の消費者は常温でも取り扱いやすい製品を要求することがあるためである。すなわち、このような要求に応じて、製品固有の引火点を満たしながら使用できる高沸点で、かつ、粘度の低い混合油を混合して供給している。
【００５９】
図３及び図４は、ＴＡＮによる腐食テスト結果を示すグラフである。
図３及び図４に示されるように、SET Laboratories, Inc.(12873 Capricorn Drive Stafford, Texas, USA)のCritical Review of Naphthenic Acid Corrosion(paper No.380)に記載された資料によると、１５０℃以下でＴＡＮによる腐食が発生しないことがわかる。
【００６０】
表６には、機会原油を精製して得られた製品に流動性改善油を混合してテストした結果を示す。
【００６１】
【表６】
2010215882.tif 000008
（表６）
【００６２】
表６に示すように、機会原油製品は、流動点が約４０℃であるから、流動点に関して、Ｂ−重油（Bunker-B、流動点１０℃）及びＣ−重油（Bunker-B、流動点３０℃以上）よりも高いので、使いやすくするために常温で流動性を呈するように、低粘度混合油を混合した。その流動点をテストした結果、混合油を１０〜１２％混合した時に経済性混合油が得られた。
【００６３】
図５は、本発明による機会原油の精製方法を示すフローチャートである。
【００６４】
本発明による機会原油の精製方法は、図５に示すように、まず、機会原油を機会原油貯蔵タンクに貯蔵する（Ｓ１００）。
【００６５】
ここで、機会原油中には、バンカーＣの引火点規格値である引火点７０℃以上を満たすために除去しなければならない成分、例えば、低沸点のブタン、ペンタン、シクロペンタン、メチルペンタン、ジメチルブタン、ジメチルペンタン、ノーマルヘキサン等の沸点７０℃以下の成分が、約３〜４％が含まれている。
【００６６】
すなわち、機会原油には、代表として、高温で分解されて装置を大きく腐食させる塩酸を生成する塩（塩化カルシウム、塩化マグネシウム等）が含まれており、蒸留塔のリボイラーを腐食させる酸分（ナフテン酸成分、ＴＡＮ）も多く含まれている。
【００６７】
機会原油は、流動点が３８℃程度で、機会原油貯蔵タンク中に５０℃程度で保管されており、この時の粘度は２５０ｃＰ程度である。
【００６８】
一方、流動点以上では粘度がバンカーＣ油よりも低いが、酸分含量のために常温ではチョコレートのように硬い固体形態となる。
【００６９】
続いて、機会原油貯蔵タンクから真空蒸留塔への原油供給配管は、万一の場合に配管内で機会原油が硬くならないようにスチームジャケットまたはスチームトレーシングを設置し、機会原油を一定の温度に加熱する（Ｓ１２０）。
【００７０】
一方、真空蒸留塔は、上部から沸点成分を排出し、下部から９６〜９７％となる製品を生産することになるが、エネルギー節減と、熱による分解を最小化するという目的から、製品と原油を熱交換器に通して熱交換して使用する最適の工程条件として進行する（Ｓ１３０）。
【００７１】
ここで、熱交換器の熱交換後に生産される製品の温度を６０〜７０℃とし、貯蔵部での取扱いと船舶またはタンクローリーへの積み込みを容易にさせる。
続いて、機会原油貯蔵タンクに貯蔵された機会原油を受け取り、真空状態で機会原油に含まれた約３〜４％の低沸点成分を除去すると共に、重油、バンカーＣ代替油を生産する（Ｓ１４０）。
【００７２】
続いて、真空状態で低沸点成分を受け取って急冷処理し、真空ポンプを用いて低沸点凝縮油を生産する（Ｓ１５０）。
【００７３】
その後、真空状態で生産された重油、バンカーＣ油代替油を貯蔵する（Ｓ１６０）。
【００７４】
そして、真空状態で生産された重油、バンカーＣ油代替油に流動点改善油を混合して、低粘度バンカーＣ代替油を生産する（Ｓ１７０）。
【００７５】
以上、具体的な実施例及び添付の図面により、本発明を説明してきたが、本発明はそれらに限定されず、本発明の技術的思想を逸脱しない範囲内で様々な置換、変形例及び変更例が可能であるということは、本発明に属する技術分野における通常の知識を有する者（いわゆる当業者）にとっては明白である。
【図１】
2010215882.tif 000009
【図２】
2010215882.tif 000010
【図３】
2010215882.tif 000011
【図４】
2010215882.tif 000012
【図５】
2010215882.tif 000013